【事件の表示】
　上記当事者間の特許第３６２９６２７号発明「製茶合組方法」の特許無効審判事件について、次のとおり審決する。
【結　論】
　
　訂正を認める。
　特許第３６２９６２７号の請求項１乃至２に係る発明についての特許を無効とする。
　審判費用は、被請求人の負担とする。
【理　由】
 
Ｉ．手続の経緯
　
　本件特許３６２９６２７号の請求項１乃至６に係る発明についての出願は、平成８年１１月１１日に特願平８−３１５５９８号として出願され、平成１６年１２月２４日に特許の設定登録がなされた。
　これに対して、株式会社寺田製作所より平成１７年９月７日付で本件無効審判の請求がなされ、指定期間内である平成１７年１１月２８日付で被請求人カワサキ機工株式会社より訂正請求がなされたものである。
　
II．訂正請求について
　
１．訂正の内容
　
（１）訂正事項１
　訂正前の特許請求の範囲の請求項１乃至４を削除し、訂正前の特許請求の範囲の請求項５を請求項１とし、訂正前の特許請求の範囲の請求項５に係る記載、
「【請求項５】茶葉を貯留する茶葉供給プールを合組胴周辺に設け、合組胴で合組している及び合組終了後の茶葉を取り出している最中に、この茶葉供給プールにより連続的に上流から搬送された茶葉を貯留し、合組された茶葉が合組胴から取り出された際に前記貯留された茶葉を合組胴内へ投入して次の合組を開始することを特徴とする合組方法。」を、
「【請求項１】茶葉を貯留する茶葉供給プールを合組胴周辺に設け、合組胴で合組している及び合組終了後の茶葉を取り出している最中に、この茶葉供給プールにより連続的に上流から搬送された茶葉を貯留し、合組された茶葉が合組胴から取り出された際に前記貯留された茶葉を合組胴内へ投入して次の合組を開始することを特徴とする製茶合組方法。」と訂正する。
　
（２）訂正事項２
　訂正前の特許請求の範囲の請求項６を請求項２とし、訂正前の特許請求の範囲の請求項６に係る記載、
「【請求項６】前記合組胴における茶葉の合組中もしくは合組終了後の茶葉の取り出し中と、取り出し完了後とを判別し得るように警告灯により表示することを特徴とする請求項５記載の合組方法。」を、
「【請求項２】前記合組胴における茶葉の合組中もしくは合組終了後の茶葉の取り出し中と、取り出し完了後とを判別し得るように警告灯により表示することを特徴とする請求項１記載の製茶合組方法。」と訂正する。
　
（３）訂正事項３
　明細書の【発明の名称】、段落【０００１】及び段落【０００５】の「製茶用合組機並びに合組方法」を「製茶合組方法」と訂正する。
　
（４）訂正事項４
　明細書の段落【０００６】乃至【００１１】の記載
「【課題を解決するための手段】すなわち請求項１記載の製茶用合組機は、合組胴内で茶葉を移送させて性状の異なった茶葉相互を均等に混ぜ合わせる装置において、前記合組胴周辺には上流から搬送された茶葉を貯留し、この貯留された茶葉を次加工サイクル時に前記合組胴内へ投入する茶葉供給プールが付設されていることを特徴として成るものである。
　この発明によれば、茶葉供給プールが付設されているため、合組運転が終了して合組された茶葉が取り出された後に、即座に茶葉供給プールに貯留しておいた茶葉が合組胴内へ供給される。従って一つの製茶用合組機が運転中の間に送られてくる茶葉をストックしておくための他の製茶用の合組機を必要としない。このため、スペース面で無駄がないとともに、設備費用的にも安価に済ますことができる。
　また請求項２記載の製茶用合組機は、前記要件に加え、前記茶葉供給プールは、前記合組胴の投入口に臨んで付設されていることを特徴として成るものである。
　この発明によれば茶葉供給プールから合組胴の投入口まで茶葉を搬送する中継機材が必要でなく、茶葉供給プール全体をコンパクトに構成し得るし、より安価な実施が行い得る。
　更に請求項３記載の製茶用合組機は、前記要件に加え、前記茶葉供給プールは、茶葉を貯留する容器本体の底部に前記合組胴内へ茶葉を供給する際に駆動されるベルトコンベヤを設けたものであることを特徴として成るものである。
　この発明によれば、貯留された茶葉を合組胴内へ供給する構造が複雑な機構のものではないため安価に実施し得るし、また全体をコンパクトに構成でき場所を取らない。
　更にまた請求項４記載の製茶用合組機は、前記要件に加え、前記合組胴から合組終了後の茶葉を取り出すための取出垂直バケットコンベヤを付設したことを特徴として成るものである。
　この発明によれば、垂直バケットコンベヤのバケットにより一定少量ずつ茶葉が取り出され、精度良く大海へ茶葉を袋詰めすることができる。
　更にまた請求項５記載の合組方法は、茶葉を貯留する茶葉供給プールを合組胴周辺に設け、合組胴で合組している及び合組終了後の茶葉を取り出している最中に、この茶葉供給プールにより連続的に上流から搬送された茶葉を貯留し、合組された茶葉が合組胴から取り出された際に前記貯留された茶葉を合組胴内へ投入して次の合組を開始することを特徴として成るものである。
　この発明によれば、茶葉供給プールが設けられているため、合組運転が終了して合組された茶葉が取り出された後に、即座に茶葉供給プールに貯留しておいた茶葉が合組胴内へ供給される。従って一つの製茶用合組機が運転中の間に送られてくる茶葉をストックしておくための他の製茶用の合組機を必要としない。このためスペース面で無駄がないとともに、設備費用的にも安価に済ますことができる。
　更にまた請求項６記載の合組方法は、前記請求項５記載の要件に加え、前記合組胴における茶葉の合組中もしくは合組終了後の茶葉の取り出し中と、取り出し完了後とを判別し得るように警告灯により表示することを特徴として成るものである。
　この発明によれば、警告灯の例えば点灯や消灯の表示により現在合組胴内に合組最中や合組終了後の茶葉が入っているか否かが即座に目で判別し得る。従って合組最中や合組終了後の茶葉が入っている合組胴内に、茶葉供給プール内の茶葉が誤って入れられることを即座に気が付くことができる。」を、
「【課題を解決するための手段】すなわち請求項１記載の製茶合組方法は、茶葉を貯留する茶葉供給プールを合組胴周辺に設け、合組胴で合組している及び合組終了後の茶葉を取り出している最中に、この茶葉供給プールにより連続的に上流から搬送された茶葉を貯留し、合組された茶葉が合組胴から取り出された際に前記貯留された茶葉を合組胴内へ投入して次の合組を開始することを特徴として成るものである。
　この発明によれば、茶葉供給プールが設けられているため、合組運転が終了して合組された茶葉が取り出された後に、即座に茶葉供給プールに貯留しておいた茶葉が合組胴内へ供給される。従って一つの製茶用合組機が運転中の間に送られてくる茶葉をストックしておくための他の製茶用の合組機を必要としない。このためスペース面で無駄がないとともに、設備費用的にも安価に済ますことができる。
　更にまた請求項２記載の製茶合組方法は、前記請求項５記載の要件に加え、前記合組胴における茶葉の合組中もしくは合組終了後の茶葉の取り出し中と、取り出し完了後とを判別し得るように警告灯により表示することを特徴として成るものである。
　この発明によれば、警告灯の例えば点灯や消灯の表示により現在合組胴内に合組最中や合組終了後の茶葉が入っているか否かが即座に目で判別し得る。従って合組最中や合組終了後の茶葉が入っている合組胴内に、茶葉供給プール内の茶葉が誤って入れられることを即座に気が付くことができる。」と訂正する。
　
（５）訂正事項５
　明細書の段落【００３４】乃至【００３９】の記載
「【発明の効果】請求項１記載の製茶用合組機は、茶葉供給プール３が付設されているため、合組運転が終了して合組された茶葉Ａが取り出された後に、即座に茶葉供給プール３に貯留しておいた茶葉Ａが合組胴１０内へ供給される。従って一つの製茶用合組機１が運転中の間に送られてくる茶葉Ａをストックしておくための他の製茶用の合組機を必要としない。このため、スペース面で無駄がないとともに、設備費用的にも安価に済ますことができる。
　請求項２記載の製茶用合組機は、茶葉供給プール３が前記合組胴１０の投入口１４に臨んで付設されている。このため茶葉供給プール３から合組胴１０の投入口１４まで茶葉Ａを搬送する中継機材が必要でなく、茶葉供給プール３全体をコンパクトに構成し得るし、より安価な実施が行い得る。
　請求項３記載の製茶用合組機は、茶葉供給プール３は、茶葉Ａを貯留する容器本体３１の底部に前記合組胴１０内へ茶葉Ａを供給する際に駆動されるベルトコンベヤ３４を設けたものである。このため貯留された茶葉Ａを合組胴１０内へ供給する構造が複雑な機構のものではないため安価に実施し得るし、また全体をコンパクトに構成でき場所を取らない。
　請求項４記載の製茶用合組機は、合組胴１０から合組終了後の茶葉Ａを取り出すための取出垂直バケットコンベヤ４を付設したため、取出垂直バケットコンベヤ４のバケットにより一定少量ずつ茶葉Ａが取り出され、精度良く大海Ｄへ茶葉Ａを袋詰めすることができる。
　請求項５記載の合組方法は、茶葉Ａを貯留する茶葉供給プール３を合組胴１０周辺に設け、合組胴１０で合組している最中に、この茶葉供給プール３により連続的に上流から搬送された茶葉Ａを貯留し、合組された茶葉Ａが合組胴１０から取り出された際に前記貯留された茶葉Ａを合組胴１０内へ投入して次の合組を開始する。従って茶葉供給プール３が設けられているため、合組運転が終了して合組された茶葉Ａが取り出された後に、即座に茶葉供給プール３に貯留しておいた茶葉Ａが合組胴１０内へ供給される。従って一つの製茶用合組機１が運転中の間に送られてくる茶葉Ａをストックしておくための他の製茶用の合組機を必要としない。このためスペース面で無駄がないとともに、設備費用的にも安価に済ますことができる。
　請求項６記載の合組方法は、合組胴１０における茶葉Ａの合組中もしくは合組終了後の茶葉Ａの取り出し中と、取り出し完了後とを判別し得るように警告灯５により表示する。このため警告灯５の表示により現在合組胴１０内に合組最中や合組終了後の茶葉Ａが入っているか否かが即座に目で判別し得る。従って合組最中や合組終了後の茶葉Ａが入っている合組胴１０内に、茶葉供給プール３の茶葉Ａが誤って入れられることを即座に気が付くことができる。」を、
「【発明の効果】請求項１記載の製茶合組方法は、茶葉Ａを貯留する茶葉供給プール３を合組胴１０周辺に設け、合組胴１０で合組している最中に、この茶葉供給プール３により連続的に上流から搬送された茶葉Ａを貯留し、合組された茶葉Ａが合組胴１０から取り出された際に前記貯留された茶葉Ａを合組胴１０内へ投入して次の合組を開始する。従って茶葉供給プール３が設けられているため、合組運転が終了して合組された茶葉Ａが取り出された後に、即座に茶葉供給プール３に貯留しておいた茶葉Ａが合組胴１０内へ供給される。従って一つの製茶用合組機１が運転中の間に送られてくる茶葉Ａをストックしておくための他の製茶用の合組機を必要としない。このためスペース面で無駄がないとともに、設備費用的にも安価に済ますことができる。
　請求項２記載の製茶合組方法は、合組胴１０における茶葉Ａの合組中もしくは合組終了後の茶葉Ａの取り出し中と、取り出し完了後とを判別し得るように警告灯５により表示する。このため警告灯５の表示により現在合組胴１０内に合組最中や合組終了後の茶葉Ａが入っているか否かが即座に目で判別し得る。従って合組最中や合組終了後の茶葉Ａが入っている合組胴１０内に、茶葉供給プール３の茶葉Ａが誤って入れられることを即座に気が付くことができる。」と訂正する。
　
２．訂正の適否
　
（１）訂正事項１乃至２について　
　上記訂正事項１乃至２は、訂正前の特許請求の範囲の請求項１乃至４を削除し、訂正前の特許請求の範囲の請求項５乃至６に係る発明を特定する事項である「合組方法」を、これに含まれる事項である「製茶合組方法」と限定する訂正であるから、特許請求の範囲の減縮を目的とするものに該当する。
　そして、上記訂正事項が、願書に添付した明細書に記載された事項の範囲内のものであって、実質上特許請求の範囲を拡張し、又は変更するものではないことは明らかである。
　
（２）訂正事項３乃至５について
　上記訂正事項３乃至５は、訂正事項１乃至２に伴うものであり、特許請求の範囲を訂正したことに伴い、発明の名称及び発明の詳細な説明欄の記載を整合させるものであって、明りょうでない記載の釈明を目的とするものに該当する。　
　そして、上記訂正事項が、願書に添付した明細書に記載された事項の範囲内のものであって、実質上特許請求の範囲を拡張し、又は変更するものではないことは明らかである。　
　
３．むすび
　
　以上のとおりであるから、上記訂正は、特許法第１３４条の２ただし書及び同条第５項において準用する同法第１２６条第３項、４項の規定に適合するので、当該訂正を認める。 
  
 III．当事者の主張
　
１．請求人の主張
　　
　請求人は、「特許第３６２９６２７号の請求項１乃至６に係る発明についての特許を無効とする、審判費用は被請求人の負担とする。」との審決を求め、証拠方法として以下の甲第１乃至４号証及び周知例１乃至３を提出し、その理由として、訂正前の本件請求項１乃至６に係る発明は、甲第１乃至４号証刊行物に記載された発明及び周知例１乃至３に記載された周知技術に基づいて、当業者が容易に発明をすることができたものであって、特許法第２９条第２項の規定により特許を受けることができないものであるから、特許法第１２３条第１項第２号の規定により無効とすべきである、旨主張している。　　　　　　　　　　　　　　
　　
甲第１号証：実公平４−８７８６号公報
甲第２号証の１及び２：実開平３−７０３２９号公報及び実願平１−１３１０９７号のマイクロフィルム
甲第３号証の１及び２：実開昭６３−２００２８号公報及び実願昭６１−１１３２６５号のマイクロフィルム
甲第４号証：特開平８−１１６８８０号公報
周知例１の１及び２：実開昭５７−１４７８４３号公報及び実願昭５６−３３７７５号のマイクロフィルム
周知例２の１及び２： 実開昭５７−１４１９２９号公報及び実願昭５６−２６９６８号のマイクロフィルム
周知例３：特開平８−１１２０６０号公報
　
２．被請求人の主張
　
　一方、被請求人は、請求人の提出した証拠方法によっては、本件特許を無効にすることができないと主張している。
　
IV．本件発明
　
　訂正後の本件請求項１乃至２に係る発明は、訂正後の明細書の特許請求の範囲の請求項１乃至２に記載された事項により特定される以下のとおりのものである。（以下、「本件発明１乃至２」という。）
「【請求項１】茶葉を貯留する茶葉供給プールを合組胴周辺に設け、合組胴で合組している及び合組終了後の茶葉を取り出している最中に、この茶葉供給プールにより連続的に上流から搬送された茶葉を貯留し、合組された茶葉が合組胴から取り出された際に前記貯留された茶葉を合組胴内へ投入して次の合組を開始することを特徴とする製茶合組方法。
【請求項２】前記合組胴における茶葉の合組中もしくは合組終了後の茶葉の取り出し中と、取り出し完了後とを判別し得るように警告灯により表示することを特徴とする請求項１記載の製茶合組方法。」
　
Ｖ．甲号証の記載事項 
　
　本件出願の出願日前に頒布された甲第１号証、甲第２号証及び甲第４号証刊行物並びに周知例３の刊行物には、以下の事項が記載されている。
　
甲第１号証：実公平４−８７８６号公報
（１−１）両側壁間に無端輸送帯を凹状に配して茶葉の合組室を形成し、無端輸送帯の後側を茶葉の安息角を超えて傾斜させ前側を前記安息角以下の傾斜に押さえるとともに、無端輸送帯は正逆両方に回転可能としたことを特徴とする、茶葉合組機。（実用新案登録請求の範囲）
（１−２）まず、投入コンベヤ２４により合組室２０内に茶葉を投入する。そして、ある程度の茶葉が投入されたら制御盤２３に合組の開始信号を与える。すると、モータ４は回転し、無端輸送帯３を矢印Ａ方向に回転させる。すると、合組室２０内の茶葉、特に無端輸送帯３と接する位置に存在する茶葉は無端輸送帯３の移行に伴って後方に輸送されるが、無端輸送帯３の後側部分は茶葉の安息角以上に傾斜しているため、途中で雪崩のように前方に滑り落ちる。この状態を第３図に矢印ａとして示す。（公報第２頁第４欄第１〜１１行）
（１−３）なお、合組は茶葉を投入しながら行うことも可能である。そして、充分な合組が行われたところで制御盤２３に合組の終了信号を送れば、モータ４は停止し無端輸送帯３の回転も停止して合組は終了する。・・・普通、合組時間は５〜３０分程度である。（公報第２頁第４欄第２１〜２９行）（１−４）本件装置は、無端輸送帯の回転方向を正逆変更するだけで、茶葉の合組と取出を行うことができるため、構造が非常にシンプルであって、安価に製造できる。（公報第３頁第５欄第１３行〜同頁第６欄第２行）　
　
甲第４号証：特開平８−１１６８８０号公報
（４−１）従来、葉打や粗揉、精揉等の各輸送制御盤は、電源表示灯、通信表示灯、運転表示灯、異常／警告表示灯、投入状態表示灯、茶葉有無表示灯／スイッチ、バイブボタン、バケットボタン、投入コンベアボタン、全輸送機停止ボタン、電源スイッチ、ブザー等を備え、各部の名称と機能説明がなされている。その機能説明は、・・・運転表示灯・集中制御盤の電源スイッチが、自動または手動のときに点灯します。点灯中は輸送機（バケット等）がいつでも動くことが出来る状態です。突然動くことがありますから注意してください。・・・投入状態表示灯・輸送機が粗揉機（後工程機）へ投入しているときに点灯します。粗揉機（後工程機）へ投入が許可状態のときに通信表示灯、運転表示灯が点灯していれば点滅します。茶葉有無表示灯／スイッチ・表示灯は茶葉が輸送されずバイブに有るとき点灯し、輸送が完了すると消えます。スイッチ操作法はバイブに茶葉が有るか、無いかを確認して表示灯の状態と違ったとき修正してください。点灯しているとき押すと消え、消灯しているとき押すと点灯します。バイブボタン・振動バイブを手動で運転させたいときに押してください。・・・（段落【０００２】）
　
周知例３：特開平８−１１２０６０号公報
（５−１）【請求項１】中揉工程を経た茶葉を、製茶精揉機の各揉釜ごとへ自動的に計量、分配して供給する方法において、前記各揉釜ごとの計量を一カ所にて行った後、分配することを特徴とする製茶精揉機分配供給方法。・・・（特許請求の範囲）
（５−２）従来より中揉工程を経た茶葉を、製茶精揉機の各揉釜へ自動的に計量、分配して供給する装置として製茶精揉機分配供給装置がある。このものは製茶中揉機から取り出された茶葉を、垂直バケットで製茶精揉機上方へ移送し、いくつかのベルトコンベヤを経て、製茶精揉機上方に設けられた投入コンベヤ上に投下し、更にこの投入コンベヤは各揉釜の上方に具えられた計量用のプールのうち空のプールへ自動的に移動して茶葉を投入する。そして茶葉が計量用のプールの設定した重量に達すると、投入コンベヤによる茶葉の投入が自動的に停止される。・・・（段落【０００２】）
（５−３）・・・この合葉プール４から投入される茶葉Ａを計量して所定の量の茶葉Ａに分配する計量プール５と、計量プール５で所定の量に分配された茶葉Ａを移送する取出コンベヤ６、中継コンベヤ７、投入コンベヤ８の各ベルトコンベヤと、投入コンベヤ８から茶葉Ａが投入されて一時茶葉Ａをプールしておき製茶精揉機２の揉釜２ａが空となったところで茶葉Ａを供給する供給プール９とを具えるものであり、・・・（段落【００２２】）
（５−４）そして投入コンベヤ８は、端部が空の供給プール９上へ位置するように移動して、次いでベルトを駆動させて供給プール９へ茶葉Ａを投入する。この供給プール９は製茶精揉機２の揉釜２ａが空である信号が入力したら逐次茶葉Ａを揉釜２ａ内に供給するようにしてもよいが、本実施例では一例として一台の製茶精揉機２の揉釜２ａの全てが空になるのを待ち、同時に全揉釜２ａへ供給する。（段落【００３５】）
　
ＶI．当審の判断
　
１．本件発明１　
　　
　本件発明１は、製茶合組方法において茶葉を貯留する茶葉供給プールを合組胴周辺に設け、合組胴で合組している及び合組終了後の茶葉を取り出している最中に、この茶葉供給プールにより連続的に上流から搬送された茶葉を貯留し、合組された茶葉が合組胴から取り出された際に前記貯留された茶葉を合組胴内へ投入して次の合組を開始することにより、一つの製茶用合組機１が運転中の間に送られてくる茶葉Ａをストックしておくための他の製茶用の合組機を必要としないため、スペース面で無駄がないとともに、設備費用的にも安価に済ますことができるものである。
　これに対して、甲第１号証刊行物（以下、「引用例」という。）には、「連続的に上流から搬送された茶葉を、合組された茶葉が合組胴から取り出された際に合組胴内へ投入する製茶合組方法。」が記載されているといえる。
　そこで、本件発明１と引用例に記載された発明（以下、「引用例発明」という。）とを対比すると、両者は、「連続的に上流から搬送された茶葉を、合組された茶葉が合組胴から取り出された際に合組胴内へ投入して次の合組を開始する製茶合組方法。」である点で一致しており、投入する茶葉について、前者は、「茶葉を貯留する茶葉供給プールを合組胴周辺に設け、合組胴で合組している及び合組終了後の茶葉を取り出している最中に、茶葉供給プールにより連続的に上流から搬送された茶葉を貯留する」と特定しているのに対して、後者にそのような特定がない点で、両者は相違している。
　そこで、この相違点について検討する。
　周知例３に記載のとおり、製茶工程の一工程である精揉工程において、茶葉を貯留する茶葉供給プールを揉釜上方に設け、揉釜で精揉している間に、或いは精揉終了後の茶葉を取り出している間に、茶葉供給プールにより連続的に上流から搬送された茶葉を貯留し、精揉された茶葉が揉釜から取り出され揉釜が空となったところで揉釜に茶葉を供給することにより、効率的に精揉することは周知のことである。（他に必要なら、異議申立人の提出した周知例１乃至２、実公昭５２−６７１９号公報、特開昭６３−１４１５４８号公報、特開平４−２６２７４１号公報、特開平８−１５４５８３号公報参照。）
　そして、簡素化、効率化は、製茶技術における周知の課題であり、引用例発明の合組工程も、周知例３に記載された精揉工程も、同じく製茶工程の一工程であるから、工程の簡素化、効率化のために、周知例３に記載された精揉工程における周知技術を、同じく製茶工程の一工程である引用例発明の合組工程に適用して、引用例発明において、茶葉を貯留する茶葉供給プールを合組胴周辺に設け、合組胴で合組している及び合組終了後の茶葉を取り出している最中に、茶葉供給プールにより連続的に上流から搬送された茶葉を貯留することに格別の困難性は認められず、またそれを妨げる特段の理由も見出せない。
　　　
　そして、本件発明１のスペース面で無駄がないとともに、設備費用的にも安価に済ますことができるという明細書記載の効果も、茶葉を貯留する茶葉供給プールを合組胴周辺に設けることにより得られたものにすぎず、甲第１号証刊行物に記載された発明及び周知技術から、当業者が予期しうる範囲のものであり格別のものとすることはできない。
　したがって、本件発明１は、本件出願の出願日前に頒布された甲第１号証刊行物に記載された発明及び周知技術に基づいて、当業者が容易に発明をすることができたものであるから、特許法第２９条第２項の規定により特許を受けることができないものである
　　　
２．本件発明２
　
　本件発明２は、本件発明１において、「前記合組胴における茶葉の合組中もしくは合組終了後の茶葉の取り出し中と、取り出し完了後とを判別し得るように警告灯により表示する」ものである。
　しかしながら、甲第４号証に記載されているよう、製茶工程において、運転表示灯や投入状態表示灯により、機械の運転状態や茶葉の投入状態を表示することは周知のことであるから、引用例発明において「前記合組胴における茶葉の合組中もしくは合組終了後の茶葉の取り出し中と、取り出し完了後とを判別し得るように警告灯により表示する」ことに格別の困難性はなく、本件発明２も、本件発明１と同様の理由で本件出願の出願日前に頒布された甲第１号証及び甲第４号証刊行物に記載された発明並びに周知技術に基づいて当業者が容易に発明をすることができたものであるから、特許法第２９条第２項の規定により特許を受けることができないものである
　
VII．むすび
　
　以上のとおり、訂正後の本件請求項１及び２に係る発明は、本件出願の出願日前に頒布された甲第１号証及び甲第４号証刊行物に記載された発明並びに周知技術に基づいて当業者が容易に発明をすることができたものであるから、特許法第２９条の規定に違反してされたものであり、訂正後の本件請求項１及び２に係る発明の特許は、同法第１２３条第１項第２号に該当し、無効とすべきものである。
　審判に関する費用については、特許法第１６９条第２項の規定で準用する民事訴訟法第６１条の規定により、被請求人が負担すべきものとする。
　よって、結論のとおり審決する。